(57)【要約】【課題】一対多重接続方式の受動型光加入者網において、網を低廉にリアルタイム監視できる手段を含む受動型光加入者網を提供する。【解決手段】下り光信号及び監視用光信号を生成し、上り光信号を検出するための光送受信機を含むＯＬＴと、前記下り光信号を検出し、前記監視用光信号を前記ＯＬＴに反射し、指定されたタイムスロットにデータ変調された上り光信号を送信するための複数のＯＮＵと、前記ＯＮＵと前記ＯＬＴとを連結する光ファイバと、を備える構成とする。光信号を生成するための送受信機を用いて、ＯＴＤＲに用いる監視用光信号を生成することにより、網の管理及び監視が容易であり、より単純な構成の網を提供できる。その結果、費用、時間及び人材運営面において多くの利点がある。【選択図】図１
2007151086.tif 000002
【特許請求の範囲】
【請求項１】
一対多重接続方式の受動型光加入者網において、
下り光信号及び監視用光信号を生成し、上り光信号を検出するための光送受信機を含むＯＬＴと、
前記下り光信号を検出し、前記監視用光信号を前記ＯＬＴに反射し、指定されたタイムスロットにデータ変調された上り光信号を送信するための複数のＯＮＵと、
前記ＯＮＵと前記ＯＬＴとを連結する光ファイバと、を備えることを特徴とする受動型光加入者網。
【請求項２】
前記ＯＬＴは、
前記ＯＮＵのそれぞれから反射された監視用光信号を検出するための光検出器と、
前記光送受信機及び前記ＯＮＵ間に位置し、前記ＯＮＵから反射された監視用光信号を前記光検出器に向けて出力し、前記上り光信号を前記光送受信機に向けて出力するためのタップ結合器と、
前記下り光信号を前記ＯＮＵに向けて出力し、前記光検出器で検出された前記監視用光信号から前記網の異常の有無を監視するためのＭＡＣと、を備えることを特徴とする請求項１に記載の受動型光加入者網。
【請求項３】
前記光送受信機は、
前記下り光信号を生成するための下り光信号送信部と、
前記上り光信号を検出するための上り光信号受信部と、
前記下り光信号を前記ＯＮＵに向けて出力し、前記上り光信号を前記光受信機に向けて出力するための波長選択結合器と、を備えることを特徴とする請求項１に記載の受動型光加入者網。
【請求項４】
前記下り光信号送信部は、
前記下り光信号を生成するための光源と、
前記光源を駆動するための下り光信号送信回路と、
前記光源に不要な光信号が流入するのを防止するための光アイソレータと、を備えることを特徴とする請求項３に記載の受動型光加入者網。
【請求項５】
前記上り光信号受信部は、
前記上り光信号を検出するための光受信機と、
前記光受信機で検出された信号を増幅するための上り光信号受信回路と、を備えることを特徴とする請求項３に記載の受動型光加入者網。
【請求項６】
前記光検出器は、
前記監視用光信号のみを通過させるためのフィルタと、
前記フィルタを通過した監視用光信号を増幅させるための第１の増幅器と、
前記増幅された監視用光信号を電気信号に変換して出力するフォトダイオードと、
前記フォトダイオードから出力される電気信号を増幅し、前記ＭＡＣに送信する第２の増幅器と、を備えることを特徴とする請求項２に記載の受動型光加入者網。
【請求項７】
前記受動型光加入者網は、前記ＯＬＴ及び前記ＯＮＵ間における前記光ファイバ上に位置し、前記下り光信号を強度分割して前記各ＯＮＵのそれぞれに向けて出力し、各ＯＮＵがそれぞれに指定されたタイムスロットで送信する上り光信を前記ＯＬＴに向けて出力するための光分配器をさらに備えることを特徴とする、請求項１に記載の受動型光加入者網。
【請求項８】
前記各ＯＮＵは、
それぞれに指定されたタイムスロットに応じてデータ変調された上り光信号を送信するための上り光信号送信部と、
前記ＯＬＴからの下り光信号を検出するための下り光信号受信部と、
前記上り光信号送信部からの上り光信号を前記ＯＬＴに向けて出力し、前記ＯＬＴからの下り光信号を前記下り光信号受信部に向けて出力するための波長選択結合器と、
前記ＯＬＴにより指定されたタイムスロットを確認するためのＭＡＣと、を備えることを特徴とする請求項１に記載の受動型光加入者網。
【請求項９】
前記上り光信号送信部は、
前記ＯＬＴにより指定されたタイムスロットに応じてデータ変調された上り光信号を生成するための光源と、
前記光源を駆動するための上り光信号送信回路と、を備えることを特徴とする請求項８に記載の受動型光加入者網。
【請求項１０】
前記下り光信号受信部は、
前記下り光信号を検出するための光受信機と、
前記光受信機で検出された信号を増幅するための下り光信号受信回路と、を備えることを特徴とする請求項８に記載の受動型光加入者網。
【発明の詳細な説明】
【技術分野】
【０００１】
本発明は、受動型光加入者網（passive optical network；ＰＯＮ）に関し、特に、網の異常有無を監視するための手段を備えた一対多重（point-to-multi-point）接続方式のイーサネット（登録商標、以下同じ）受動型光加入者網（ＥＰＯＮ）に関する。
【背景技術】
【０００２】
ＯＴＤＲ（Optical Time Domain Reflectometer）は、光ファイバ又は光ケーブルの異常有無を監視するための装置であって、対象光ファイバなどにパルス形態の光を入力した後、光ファイバの特定位置で散乱により反射されてリターンされる光を検出してリターン時間及び強度などを算出し、それに基づいて光ファイバの異常有無、異常発生位置及び異常の類型（タイプ）などを監視する。ＯＴＤＲは、光ファイバ又は光ケーブルの一端に連結されて全体の構成を監視でき、これにより網などの監視にかかる時間及び費用などを節減できるという利点がある。前述したＯＴＤＲは、光加入者網の監視などにも使用することが可能であり、網に対する監視及び情報を提供することができる。具体的には、ＯＴＤＲは、単位長さ当りの損失、スプライス（Splice）及びコネクターの評価、異常発生地点の位置を算出した結果などの情報を提供することができる。
【０００３】
前述したように、ＯＴＤＲは、光通信方式の加入者網に組み込まれて網の管理及び監視に用いられる方法が提案されている。例えば、既存の光加入者網にＯＴＤＲが組み込まれ、インサービス（in-service）又は活性化光ファイバ試験を行うなどがある。
【０００４】
一般の網管理システムは、網の効率性や生産性を最大化させるために、複雑なネットワークを制御すること、網の性能を最適化させるために、リアルタイムに網の監視及び制御をするシステムを意味し、網の企画、運用、維持管理などに必要な網の使用に関する情報について、網を構成する多様な装備及び転送設備から収集しながら、網が正しく動作するようにし、或いは、報告を提出することなどを行う。
【０００５】
しかしながら、ＯＴＤＲを従来の一対一接続方式でない一対多重接続方式のイーサネット受動型光加入者網（ＥＰＯＮ）に適用すると、費用及び時間損失が増加するという問題点がある。すなわち、従来の光加入者網は、一つのＯＬＴ（Optical Line Terminal）に複数のＯＮＵ（Optical Network Unit）がリンクされることで、網に高価なＯＴＤＲが連結された状態でリアルタイム監視をしなければならないという問題点がある。さらに、ＯＴＤＲを管理できる別途の管理者を必要とするという問題点がある。
【発明の開示】
【発明が解決しようとする課題】
【０００６】
本発明は、このような事情に基づいてなされたものであり、その目的は、網を低廉にリアルタイム監視できる手段を含むイーサネット受動型光加入者網を提供することにある。
【課題を解決するための手段】
【０００７】
本発明の一対多重接続方式の受動型光加入者網は、下り光信号及び監視用光信号を生成し、上り光信号を検出するための光送受信機を含むＯＬＴと、前記下り光信号を検出し、前記監視用光信号を前記ＯＬＴに反射し、指定されたタイムスロットにデータ変調された上り光信号を送信するための複数のＯＮＵと、前記ＯＮＵと前記ＯＬＴとを連結する光ファイバと、を備えることを特徴とする。
【発明の効果】
【０００８】
本発明によれば、一対多重接続方式の受動型光加入者網において、光信号を生成するための送受信機を用いて、ＯＴＤＲに用いる監視用光信号を生成することにより、網の管理及び監視が容易であり、より単純な構成の網を提供できる。よって、本発明による一対多重接続方式の受動型光加入者網は、費用、時間及び人材運営面において多くの利点がある。
【発明を実施するための最良の形態】
【０００９】
以下、添付図面を参照しながら、本発明の好適な実施形態を詳細に説明する。本発明の説明において、関連した公知の機能や構成についての具体的な説明が、本発明の要旨を不明瞭にする可能性がある場合には、その詳細な説明を省略する。
【００１０】
図１は、本発明の実施形態による一対多重（point-to-multi-point）接続方式の受動型光加入者網（ＥＰＯＮ）を示す図である。図１に示すように、本実施形態による一対多重接続方式の受動型光加入者網１００は、下り光信号及び監視用光信号（波長１４９０ｎｍ）を生成して出力し、上り光信号（波長１３１０ｎｍ）を検出するための光送受信器（ＯＬＴ ＰＭＤ）１３０を含むＯＬＴ（Optical Line Terminal）１１０と、下り光信号を検出し、監視用光信号をＯＬＴ（１１０）に反射し、指定されたタイムスロット（Time slot）でデータ変調された上り光信号を送信するための複数のＯＮＵ（Optical Network Unit）１６０−１〜１６０−ｎと、ＯＬＴ１１０及びＯＮＵ１６０−１〜１６０−ｎ間に位置された光分配器（optical splitter）１５０と、ＯＬＴ１１０及びＯＮＵ１６０−１〜１６０−ｎを連結するための光ファイバ１０１とを含む。
【００１１】
ＯＬＴ１１０は、各ＯＮＵ１６０−１〜１６０−ｎから反射された監視用光信号を検出するための光検出器（OTDR receiver）１２０と、光送受信器１３０及びＯＮＵ１６０−１〜１６０−ｎ間に位置し、上り光信号のうち、ＯＮＵ１６０−１〜１６０−ｎから反射された監視用光信号は光検出器１２０側に出力し、監視用光信号以外の上り光信号は光送受信機１３０側に出力するためのタップ結合器１１２と、下り光信号をＯＮＵ（１６０−１〜１６０−ｎ）側に向けて出力し、また、光検出器１２０で検出された監視用光信号に基づいて網の異常有無を監視するためのＭＡＣ（Media Access Controller）１１１とを含む。
【００１２】
上り光信号及び下り光信号は、互いに異なる波長帯域を使用できる。例えば、下り光信号が１４９０ｎｍの波長帯域を使用する場合、上り光信号は１３１０ｎｍの波長帯域を使用することができる。下り光信号は、ＯＮＵ（１６０−１〜１６０−ｎ）の各々に伝送される。そして、ＯＬＴ１１０は、それぞれの上り光信号が対応するタイムスロットにて伝送されてくることにより、各ＯＮＵ（１６０−１〜１６０−ｎ）を識別することができる。すなわち、本実施形態による受動型光加入者網１００においては、各ＯＮＵ１６０−１〜１６０−ｎのそれぞれに対してタイムスロットが指定される時分割多重化方式（Time division multiplex Access：ＴＤＭＡ）を適用することができる。
【００１３】
より具体的には、本実施形態による受動型光加入者網１００は、ＡＴＭ−ＰＯＮにおけるマスター／スレーブ（Master／Slave）方式の時分割多重化方式を適用することができる。すなわち、ＯＬＴ１１０がＯＮＵ１６０−１〜１６０−ｎの各々にタイムスロットを指定するマスターとしての役割を遂行し、各ＯＮＵ１６０−１〜１６０−ｎがスレーブとしてＯＬＴ（１１０）に必要なタイムスロットを要求する方式である。このときＭＰＣＰ（Multi point control protocol）を使用することができる。ＭＰＣＰは、５つの新しいＭＡＣ制御フレーム（MAC control frame：ＭＰＣＰＤＵ）を使用されることができるが、その中で、‘ＧＲＡＮＴ’と‘ＲＥＰＯＲＴ’が最も多く使用される。
【００１４】
ＭＡＣ１１１は、光検出器１２０で検出された監視用光信号の強度と、反射されて戻ってくるまでの時間に基づいて各ＯＮＵ１６０−１〜１６０−ｎ間の異常発生の有無、及び、異常発生があったときにはその異常発生地点を算出する機能を備えている。また、ＭＡＣ１１１は、前述したように、マスターとして各ＯＮＵ（１６０−１〜１６０−ｎ）が要求するタイムスロットを収集し、各ＯＮＵ（１６０−１〜１６０−ｎ）に適切なタイムスロットを指定し、詳しくは後述するように必要に応じて監視用光信号を生成するように光送受信機１３０の動作を制御する。
【００１５】
ＭＡＣ１１１は、前述した‘ＧＲＡＮＴ’を使用して各ＯＮＵ１６０−１〜１６０−ｎに対して使用可能な送信開始時間及び送信持続時間を示すタイムスロットを通知する。このとき、‘ＧＲＡＮＴ’を各ＯＮＵ１６０−１〜１６０−ｎに周期的に伝送することにより、各ＯＮＵ１６０−１〜１６０−ｎが周期的な‘ＲＥＰＯＲＴ’を実施できる機会を提供する。
【００１６】
ＯＬＴ１１０が伝送する‘ＧＲＡＮＴ’の中には、未登録状態のＯＮＵが登録できる機会を提供するための‘Ｄｉｓｃｏｖｅｒｙ ＧＲＡＮＴ’、上り光信号バッファに待機中のデータがなく、動作が中止しているアイドル状態のＯＮＵに強制的にデータ状況を通知するための‘Ｆｏｒｃｅｄ Ｒｅｐｏｒｔ ＧＲＡＮＴ’、及び一般的なデータ転送のための‘Ｄａｔａ ＧＲＡＮＴ’などがある。このような‘ＧＲＡＮＴ’のタイプは、フラッグフィールド（Flag field）を使用して区分できるように規定されている。
【００１７】
図２は、図１に示す光送受信機１３０の構成を説明するためのブロック図である。図２に示すように、光送受信機１３０は、下り光信号を生成するための下り光信号送信部１３７と、上り光信号を検出するための上り光信号受信部１３８と、波長選択結合器１３１とを含む。光送受信機１３０は、一つのデバイスからなり、光線路との連結が容易であるように、ＯＬＴ１１０の光コネクター（不図示）を介して光ファイバと連結されている。
【００１８】
波長選択結合器１３１は、図１に示したタップ結合器１１２と連結され、タップ結合器１１２を介して入力された上り光信号を光受信機１３３に出力し、光源１３２で生成された下り光信号をタップ結合器１１２に出力する。仮にタップ結合器１１２の結合比率が８:２であれば、下り光信号の結合には１ｄＢの光損失が発生し、パルス形態の監視用光信号を光検出器１２０に結合するときには７ｄＢの光損失が発生する。
【００１９】
下り光信号送信部１３７は、下り光信号を生成するための光源１３２と、光源１３２を駆動するための下り光信号送信回路１３４と、光源１３２に不要な光信号が流入されるのを防止するための光アイソレータ１３６とを含む。上り光信号受信部１３８は、上り光信号を検出するための光受信機１３３と、光受信機１３３で検出された信号を増幅するための上り光信号受信回路１３５とを含む。
【００２０】
光アイソレータ１３６は、光源１３２で生成された監視用光信号がさらに光源１３２に逆流入することによって光源１３２の特性を低下させることを防止する役割も有している。
【００２１】
ここで、光源１３２は半導体レーザーや半導体光増幅器などを使用でき、光受信機１３３はフォトダイオードなどが使用できる。また、下り光信号送信部１３７は、ＭＡＣ１１１の制御に従って、下り光信号及びパルス形態の監視用光信号を生成する。また、下り光信号送信部１３７は、ＭＡＣ１１１によって割り当てられたタイムスロットにそれぞれの下り光信号を載せる。
【００２２】
光検出器１２０は、予め設定された波長を有する監視用光信号のみを通過させるためのフィルタ１２４と、フィルタ１２４を通過した監視用光信号を前もって増幅（pre-amplifying）するための第１の増幅器１２３と、増幅された監視用光信号を光電変換して電気信号を出力するフォトダイオード１２２と、フォトダイオード１２２から出力された電気信号を増幅してＭＡＣ１１１に出力するための第２の増幅器１２１とを含む。これにより、光検出器１２０は、監視用光信号の強度を検出して、ＭＡＣ１１１に対して検出された監視用光信号の強度及び検出時間を通知する機能を行う。
【００２３】
第１の増幅器１２３は、半導体光増幅器（Semiconductor optical amplifier）などを使用することができ、また、フォトダイオード１２２は、ピン又はアバランシェフォトダイオードなどを使用することができる。
【００２４】
図３は、図１に示すＯＮＵの構成を説明するためのブロック図である（図３には一つのＯＮＵを示しているが、他のＯＮＵも同様の構成である）。図３に示すように、ＯＮＵ１６０は、上り光信号送信部１６７と、下り光信号受信部１６８と、上り光信号送信部１６７からの上り光信号をＯＬＴ１１０に出力し、ＯＬＴ１１０からの下り光信号を下り光信号受信部１６８に出力する波長選択結合器１６１と、ＯＬＴ１１０から伝送される‘ＧＲＡＮＴ’に従って指定されたタイムスロットを確認し、クロックを含む‘ＲＥＰＯＲＴ’などを生成するためのＭＡＣ１６４とを含む。
【００２５】
上り光信号送信部１６７は、割り当てられたタイムスロットにデータ変調された上り光信号を生成するための上り光源１６２と、上り光源１６２を駆動するための上り光信号送信回路１６５とを含む。下り光信号受信部１６８は、下り光信号を検出するための光受信機１６３と、検出された信号を増幅させるための下り光信号受信回路１６６とを含む。
【００２６】
各ＯＮＵ１６０−１〜１６０−ｎは、‘ＧＲＡＮＴ’によって指定されたタイムスロットを使用して送信待機中のデータ量をＯＬＴ１１０に通知するための‘ＲＥＰＯＲＴ’を伝送する。また、ＯＮＵ１６０−１〜１６０−ｎのうち、ＯＬＴ（１１０）に未登録のＯＮＵ１６０−１〜１６０−ｎは、ＯＬＴ１１０の‘ＧＲＡＮＴ’によって提供される機会を通して、登録を実施するための‘ＲＥＧＩＳＴＥＲ＿ＲＥＱ’や登録廃棄のための‘ＲＥＧＩＳＴＥＲ＿ＡＣＫ’などのＭＰＣＰＤＵを使用することができる。仮りに、未登録状態の複数のＯＮＵ１６０−１〜１６０−ｎが、同時に登録のための‘ＲＥＧＩＳＴＥＲ＿ＲＥＱ’をＯＬＴ１１０に伝送してしまうと、‘ＲＥＧＩＳＴＥＲ＿ＲＥＱ’間の衝突が発生し得る。よって、未登録状態のＯＮＵ１６０−１〜１６０−ｎは、衝突発生を最小化するための任意の時間に伝送動作を実行する。
【００２７】
ＯＬＴ１１０は、未登録状態のＯＮＵ１６０−１〜１６０−ｎから受信される‘ＲＥＧＩＳＴＥＲ＿ＲＥＱ’によって当該ＯＮＵ１６０−１〜１６０−ｎのことを認識し、登録のための‘ＲＥＧＩＳＴＥＲ’と‘ＧＲＡＮＴ’とを同時に当該ＯＮＵ１６０−１〜１６０−ｎに伝送し、この‘ＲＥＧＩＳＴＥＲ’及び‘ＧＲＡＮＴ’とを受信した当該ＯＮＵ１６０−１〜１６０−ｎが、‘ＲＥＧＩＳＴＥＲ＿ＡＣＫ’をＯＬＴ１１０に伝送することで、登録過程（同期化）が完了される。
【００２８】
全てのＯＮＵ１６０−１〜１６０−ｎ及びＯＬＴ１１０は、‘ＧＲＡＮＴ’により割り当てられたそれぞれのタイムスロットで送信した上り光信号が衝突しないようにするために、基準クロックに従って動作されるべきである。本実施形態による受動型光加入者網１００は、ＯＬＴ１１０のＭＡＣ１１１に各ＯＮＵ１６０−１〜１６０−ｎの基準クロックを定義し、ＯＬＴ１１０が各ＯＮＵ１６０−１〜１６０−ｎに‘ＧＲＡＮＴ’を送信するときに、共に送信されて同期化される。結果として、各ＯＮＵ１６０−１〜１６０−ｎは、ＯＬＴ１１０に対する登録過程を実施する間に、該当する基準クロックにより同期化され、‘ＲＥＰＯＲＴ’を通じてＯＬＴ１１０にクロック情報を送信する。
【００２９】
ＯＬＴ１１０及び各ＯＮＵ１６０−１〜１６０−ｎは、設置された位置による距離だけ互いに離れており、この距離の違いに基づく基準クロックの伝達遅延時間の分だけ情報差が発生する。これを補償するために、ＯＬＴ１１０は、全てのＯＮＵ１６０−１〜１６０−ｎとの距離を常に測定し、‘ＧＲＡＮＴ’を転送するときに各ＯＮＵ１６０−１〜１６０−ｎの離間距離を補償するタイムスロットを各ＯＮＵ１６０−１〜１６０−ｎに割り当て、これにより上り光信号間の衝突を回避する。ＯＬＴ１１０及びＯＮＵ１６０−１〜１６０−ｎ間のＲＴＴ（Round Trip Time）は、各ＯＮＵ１６０−１〜１６０−ｎから受信される‘ＲＥＰＯＲＴ’に含まれたクロック情報と、ＯＬＴ１１０に指定された基準クロックとの差により算出する。
【００３０】
本実施形態による光検出器１２０は、正常動作状態の光加入者網１００では動作しないが、ＭＡＣ１１１の制御により網がＯＴＤＲモードに転換されたときに動作する。各ＯＮＵ１６０−１〜１６０−ｎ及びＯＬＴ１１０は、設置場所に応じた距離だけ離れて位置するので、各ＯＮＵ１６０−１〜１６０−ｎは常にＯＬＴ１１０との距離を測定して補正する。よって、ＯＮＵ１６０−１〜１６０−ｎの動作状態を電気的に観察できる。また、各ＯＮＵ１６０−１〜１６０−ｎのＭＡＣ１６４は、周期的にＯＴＤＲモードに転換され、受動型光加入者網１００のリンク状態（光伝送リンク状態）をリアルタイムに監視できる。すなわち、長時間の間ＯＮＵ１６０−１〜１６０−ｎからの反射した監視用光信号が受信されない場合、ＯＬＴ１１０は、後述する３つの障害のいずれかが発生したと判断し、監視用光信号を送信してその受信可否を確認するステップから本格的な異常の確認を行うＯＴＤＲモードに移行し、当該ＯＮＵ１６０−１〜１６０−ｎ間の異常発生有無、異常発生地点及び異常発生類型を確認することになる。
【００３１】
すなわち、ＯＬＴ１１０は、ＲＴＴに基づきＯＮＵ１６０−１〜１６０−ｎとの距離を演算し、これにより監視用光信号が各ＯＮＵから反射されて戻ってくるまでの時間を把握している。そして実際に送信した監視用光信号が長時間の間受信されない場合に、つまり予め把握した時間を超過しても反射した監視用光信号が受信されない場合に、ＯＴＤＲモードに移行して本格的な異常判断を行うのである。
【００３２】
前述した障害としては、第一に、各ＯＮＵ１６０−１〜１６０−ｎ及びＯＬＴ１１０間の光線路での異常発生、第二に、ＯＮＵ１６０−１〜１６０−ｎの異常発生、第三に、長時間ユーザーが使用しないことによる動作停止状態である。但し、ユーザーが長時間使用しないことによる障害は、ＯＮＵ１６０−１〜１６０−ｎの応答有無によって判断でき、実質的な障害とは判断しない。
【００３３】
例えば図１に示す受動型光加入者網１００において、特定のＯＮＵ１６０−１〜１６０−ｎとＯＬＴ１１０と間で異常が発生した場合を例に挙げて説明する。ＯＮＵ１６０−１〜１６０−ｎ及びＯＬＴ１１０は、上述したようにＲＴＴを用いて継続的に網を管理しているので、ＯＬＴ１１０が特定ＯＮＵ１６０−１〜１６０−ｎとの異常発生の有無を感知することになる。異常が感知されると、ＯＬＴ１１０は、ＭＡＣ１１１によりＯＴＤＲモードに転換され、光送受信機１３０が監視用光信号を生成する。生成された監視用光信号は、ＯＮＵ１６０−１〜１６０−ｎに送信される。このとき異常が発生した特定のＯＮＵ１６０−１〜１６０−ｎでは、ＯＬＴ１１０及びＯＮＵ１６０−１〜１６０−ｎ間における異常発生地点で監視用光信号が反射してＯＬＴ１１０にリターンされる。
【００３４】
ＯＬＴ１１０の光検出器１２０は、リターンされた監視用光信号を検出し、検出された結果をＭＡＣ１１１に通知する。ＭＡＣ１１１は、監視用光信号の受信時間を計算することにより、異常発生地点を特定することができる。
【００３５】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００３６】
【図１】本発明の実施形態による一対多重接続方式の受動型光加入者網を示す図である。
【図２】上記受動型光加入者網が備える光送受信機の構成を説明するブロック図である。
【図３】上記受動型光加入者網が備えるＯＮＵの構成を説明するブロック図である。
【符号の説明】
【００３７】
１００  受動型光加入者網
１１０  ＯＬＴ
１１２  タップ結合器
１２０  光検出器
１３０  光送受信機
１６０−１〜１６０−ｎ  ＯＮＵ
【図１】
2007151086.tif 000003
【図２】
2007151086.tif 000004
【図３】
2007151086.tif 000005